(57)【特許請求の範囲】
【請求項１】
第一ラックポスト及び第二ラックポストに取り付け可能であるスライドレールキットであって、
レール部材、第一ブラケット、第二ブラケット、鈎部、および、弾性部材を備え、
前記第一ブラケットは、前記第一ラックポストに取り外し可能なように取り付けられており、
前記第二ブラケットは、前記第二ラックポストに取り外し可能なように取り付けられ、可動するように前記レール部材に取り付けられており、
前記第二ブラケットは、第一接触部を有し、
前記鈎部は、前記第二ブラケットに可動するように連結され、第二接触部を有し、
前記弾性部材は、前記鈎部に弾力を加え、
前記鈎部は、前記弾性部材の弾力に反応し、ロック位置を保持し、
前記第一ブラケットを、前記第一ラックポストから取り外した後、前記第二ブラケットは第一方向へと移動し、前記第一接触部は、前記第二ブラケットの移動に反応し、前記第二接触部を押圧し、これにより前記鈎部は、前記第二ブラケットに対して一角度の偏りを呈し前記ロック位置を離れることを特徴とするスライドレールキット。
【請求項２】
前記第一接触部と前記第二接触部のいずれか一つは、傾斜案内面を含むことを特徴とする請求項１に記載のスライドレールキット。
【請求項３】
前記第二ブラケットは、第一押圧部を有し、
前記鈎部は、第二押圧部を有し、
前記第一押圧部と前記第二押圧部のいずれか一つは、傾斜案内セクションを含み、
前記第二ブラケットは前記第一方向と反対方向である第二方向へと移動すると、前記第一押圧部は、前記第二ブラケットの移動に反応し、前記第二押圧部を押圧し、これにより前記鈎部は、前記第二ブラケットに対して一仰角を呈することを特徴とする請求項１に記載のスライドレールキット。
【請求項４】
前記第二ブラケットは、突出セクション及び陥没セクションを有し、
前記鈎部が前記ロック位置にある時には、前記鈎部の一部分は、前記突出セクションに係合することを特徴とする請求項１に記載のスライドレールキット。
【請求項５】
前記第二ブラケットは、第一取り付け特徴部、及び、位置が前記第一取り付け特徴部に相対する第二取り付け特徴部を有し、
前記弾性部材は、前記第一取り付け特徴部と前記第二取り付け特徴部との間に取り付けられていることを特徴とする請求項１に記載のスライドレールキット。
【請求項６】
前記第二ブラケットと前記鈎部のいずれか一つは、案内部を有し、
前記案内部は、所定の長さを有し、
前記鈎部は、連結部材により、前記案内部に連結されていることを特徴とする請求項１に記載のスライドレールキット。
【請求項７】
側板、端板、少なくとも一個の取り付け部材、鈎部、および、弾性部材を備え、
前記端板は、前記側板に、おおよそ垂直に連結されており、
前記少なくとも一個の取り付け部材は、前記端板に取り付けられており、
前記鈎部は、前記側板に可動するように連結されており、
前記弾性部材は、前記鈎部に弾力を加え、
前記鈎部は、前記弾性部材の弾力に反応し、ロック位置を保持し、
前記側板は、第一接触部を有し、
前記鈎部は、第二接触部を有し、前記第一接触部と前記第二接触部のいずれか一つは、傾斜案内面を含み、
前記側板が第一方向に移動するとき前記傾斜案内面は前記鈎部を案内し、前記鈎部は前記側板に対して一角度の偏りを呈することを特徴とするブラケット。
【請求項８】
前記側板は、第一押圧部を有し、
前記鈎部は、第二押圧部を有し、
前記第一押圧部と前記第二押圧部のいずれか一つは、傾斜案内セクションを含み、
前記側板が前記第一方向と反対方向である第二方向に移動するとき前記傾斜案内セクションは前記鈎部を案内し、前記鈎部は前記側板に対して仰角の偏りを呈することを特徴とする請求項７に記載のブラケット。
【請求項９】
前記側板は、突出セクション及び陥没セクションを有し、
前記鈎部が前記ロック位置にある時には、前記鈎部の一部分は、前記突出セクションに係合することを特徴とする請求項７に記載のブラケット。
【請求項１０】
前記側板と前記鈎部のいずれか一つは、案内部を有し、
前記案内部は、所定の長さを有し、
前記鈎部は、連結部材により、前記案内部に連結されていることを特徴とする請求項７に記載のブラケット。
【発明の詳細な説明】
【技術分野】
【０００１】
本発明はスライドレールキットに関し、特にラック（ｒａｃｋ）から簡単に取り外せるにラケットを有するスライドレールキットに関する。
【背景技術】
【０００２】
特許文献１は、サーバー用スライドレールの工具不要取り付け支持フレームを示す。
それは、スライドレール後取り付け支持フレーム１上に設置する一対のラック定位柱４とラック浮揚性鈎部２を有する。
ラック浮揚性鈎部２は、一対の翼片２０５上にそれぞれ設置される一対の鈎部２０３を有する。
一対の翼片２０５上には、スライドガイドスリーブ２０１をそれぞれ設置し、「アーチ」形湾曲部材２０６を通して固定して連結される。
スライドレール後取り付け支持フレーム１上には、二個のスライドガイドポスト１０１をさらに固定する。
スライドガイドポスト１０１は、スライドガイドスリーブ２０１内に嵌めて設置され、位置制限ボルト７を通して固定して連結される。
スライドガイドスリーブ２０１上、翼片２０５と位置制限ボルト７との間には、第一回復バネ６を設置する。
スライドレール後取り付け支持フレーム１上には、浮揚性ピン３を設置する浮揚性ピン通過孔１０４をさらに設置する。
浮揚性ピン３の一端は、位置制限ボルト７を通過し、「アーチ」形湾曲部材２０６上に連結し、反対端は、錐形ヘッド３０１で、浮揚性ピン通過孔１０４内に設置される。
浮揚性ピン３上、錐形ヘッド３０１の端面と位置制限ボルト７との間には、第二回復バネ５を嵌めて設置する。
【０００３】
上記した配置に基づき、特許文献１に開示された構造は、浮揚性ピン３により、後支持フレームに包まれたスライドレール外レールを駆動し、スライドレール後取り付け支持フレーム１のロックとロック解除を達成することができる。
【０００４】
しかしながら、特許文献１に開示する構造は、構成が極めて複雑なため、全体の操作性能に悪影響を及ぼす可能性がある。
その他の先行技術文献として、特許文献２、３、４を追加する。
【先行技術文献】
【特許文献】
【０００５】
【特許文献１】中国特許第ＣＮ１０２６９５３９６Ｂ号明細書
【特許文献２】米国特許第７,１９２,１０３Ｂ２号明細書
【特許文献３】米国特許第７,７３１,１４２Ｂ２号明細書
【特許文献４】米国特許第８,１４６,７５６Ｂ２号明細書
【発明の概要】
【発明が解決しようとする課題】
【０００６】
前記先行技術に開示する構造は、構成が極めて複雑なため、全体の操作性能に悪影響を及ぼす可能性があるという欠点がある。
【課題を解決するための手段】
【０００７】
本発明はブラケットをラックポストから簡単に取り外せるスライドレールキットに関し、ロック機能を有するブラケットにより、ラックポスト上に堅固に取り付けることができる。
【０００８】
本発明によるスライドレールキットは、第一ラックポスト及び第二ラックポストに取り付けでき、スライドレールキットは、レール部材、第一ブラケット、第二ブラケット、鈎部及び弾性部材を有する。
第一ブラケットは、第一ラックポストに取り外し可能なように取り付けられる。
第二ブラケットは、第二ラックポストに取り外し可能なように取り付けられ、レール部材に可動するように取り付けられ、第二ブラケットは、第一接触部を有する。
鈎部は、第二ブラケットに可動するように連結され、鈎部は、第二接触部を有する。
弾性部材は、鈎部に弾力を加え、鈎部は弾性部材の弾力に反応し、ロック位置を保持される。
第一ブラケットを、第一ラックポストから取り外した後、第二ブラケットは第一方向へと移動し、第一接触部は、第二ブラケットの移動に反応し、第二接触部を押圧し、これにより鈎部は、第二ブラケットに対して一角度の偏りを呈し、ロック位置を離れる。
【０００９】
本発明によるスライドレールキットにおいて、第一接触部と第二接触部のいずれか一つは、傾斜案内面を含む。
【００１０】
本発明によるスライドレールキットにおいて、第二ブラケットは、第一押圧部を有し、鈎部は、第二押圧部を有する。
第一押圧部と第二押圧部のいずれか一つは、傾斜案内セクションを含む。
第二ブラケットは第一方向と反対方向である第二方向へと移動すると、第一押圧部は、第二ブラケットの移動に反応し、第一押圧部は、第二押圧部を押圧し、これにより鈎部は、第二ブラケットに対して一仰角の偏りを呈する。
【００１１】
本発明によるスライドレールキットにおいて、第二ブラケットは、突出セクション及び陥没セクションを有し、鈎部がロック位置にある時には、鈎部の一部分は、突出セクションに係合する。
【００１２】
本発明によるスライドレールキットにおいて、第二ブラケットは、第一取り付け特徴部、及び、位置が第一取り付け特徴部に相対する第二取り付け特徴部を有し、弾性部材は、第一取り付け特徴部と第二取り付け特徴部との間に取り付けられる。
【００１３】
本発明によるスライドレールキットにおいて、第二ブラケットと鈎部のいずれか一つは、案内部を有し、案内部は、所定の長さを有し、鈎部は、連結部材により、案内部に連結される。
【００１４】
本発明によるブラケットは、側板、端板、少なくとも一個の取り付け部材、鈎部及び弾性部材を有する。
端板は、側板に、おおよそ垂直に連結される。
少なくとも一個の取り付け部材は、端板に取り付けられる。
鈎部は、側板に可動するように連結される。
弾性部材は、鈎部に弾力を加え、鈎部は弾性部材の弾力に反応し、ロック位置を保持される。
側板は、第一接触部を有し、鈎部は、第二接触部を有し、第一接触部と第二接触部のいずれか一つは、傾斜案内面を含む。側板が第一方向に移動するとき傾斜案内面は鈎部を案内し、鈎部は側板に対して一角度の偏りを呈する。
【００１５】
本発明はロック機能を有するブラケットにより、ラックポスト上に堅固に取り付けることができる。
【図面の簡単な説明】
【００１６】
【図１】本発明一実施形態のスライドレールキットを第一ラックポストと第二ラックポストに取り付けた状態を示す立体模式図である。
【図２】本発明一実施形態のスライドレールキットの分解模式図である。
【図３】本発明一実施形態のスライドレールキットの局部模式図である。
【図３Ａ】図３の３Ａの局部拡大模式図で、第二接触部が第一接触部に対応することを示す。
【図３Ｂ】図３の３Ｂの局部拡大模式図で、第二押圧部が第一押圧部に対応することを示す。
【図４】本発明一実施形態のスライドレールキットを第一ラックポストと第二ラックポストに取り付けた状態を示す模式図である。
【図４Ａ】図４の４Ａの局部拡大模式図で、取り付け部を弾性部材の第一セクションと第二セクションとの間に取り付けることを示す。
【図４Ｂ】図４の４Ｂの局部拡大模式図で、第一部分が第二部分に対応することを示す。
【図５】本発明一実施形態のスライドレールキットの第一ブラケットが第一ラックポストを離脱した状態を示す模式図である。
【図６】本発明一実施形態のスライドレールキットのレール部材が第一方向移動へと移動する様子を示す模式図である。
【図７】本発明一実施形態のスライドレールキットの第二ブラケットがレール部材に従い第一方向移動へと移動する様子を示す模式図である。
【図８】本発明一実施形態のスライドレールキットの第二ブラケットが鈎部に対して第一方向移動へと移動する模式図である。
【図８Ａ】図８の８Ａの局部拡大模式図で、第一接触部が第二接触部に接近することを示す。
【図９】本発明一実施形態のスライドレールキットの第二ブラケットと鈎部が第二ラックポストを離脱する状態を示す模式図である。
【図９Ａ】図９の９Ａの局部拡大模式図で、第一接触部が第二接触部を押圧することを示す。
【図１０】本発明一実施形態のスライドレールキットの第二ブラケットが第二ラックポストに取り付けられる様子を示す模式図である。
【図１１】本発明一実施形態のスライドレールキットの第二ブラケットが第二ラックポストに取り付けられ、しかも鈎部が第二ラックポストに接触する状態を示す模式図である。
【図１２】本発明一実施形態のスライドレールキットの第二ブラケットが第二ラックポストに取り付けられ、しかも鈎部が一仰角の偏りを呈する状態を示す模式図である。
【図１３】本発明一実施形態のスライドレールキットの第二ブラケットが第二ラックポストに取り付けられる状態を示す模式図である。
【発明を実施するための形態】
【００１７】
（一実施形態）
図１に示す本発明実施形態のスライドレールキット２０は、第一ブラケット２２と第二ブラケット２４により、ラック（ｒａｃｋ）の第一ラックポスト２６と第二ラックポスト２８に取り外し可能なように（ｄｅｔａｃｈａｂｌｙ  ａｔｔａｃｈｅｄ）取り付けられる。
【００１８】
図２に示す通り、スライドレールキット２０は、レール部材３０及びサポートフレーム３２をさらに有する。
サポートフレーム３２は、レール部材３０に固定するように連結され、レール部材３０の一部分と見做される。
サポートフレーム３２は、上壁３８ａ、下壁３８ｂ、及び上壁３８ａと下壁３８ｂとの間に連結される縦方向壁４０を有する。
上壁３８ａ、下壁３８ｂ、及び縦方向壁４０は共に、通路４２を形成する。
縦方向壁４０は、第一部分４４（突出ブロックなど）を有し、通路４２内に設置する。
【００１９】
第一ブラケット２２は、レール部材３０に隣り合う第一端部３１ａに取り付けられる。
第二ブラケット２４は、レール部材３０に可動するように取り付けられ、レール部材３０に隣り合う第二端部３１ｂまで移動する。
具体的には、第二ブラケット２４は、側板４６、端板４８、少なくとも一個の取り付け部材５０、弾性部材３４、及び鈎部３６を有する。
【００２０】
側板４６は、レール部材３０に可動するように取り付けられる。
この実施形態では、側板４６には、延長部材５２を固定して接続でき、サポートフレーム３２の通路４２内に可動するように取り付け、しかも延長部材５２は、第二部分５４を有する。
側板４６は、側板４６から湾曲するように延長する一対の耳部５６、及び一対の耳部５６の間に位置する第一取り付け特徴部５８を有する。
第二ブラケット２４及び鈎部３６の何れか一つは、案内部６０を有する。
案内部６０は、縦方向孔である。
本実施形態において、第二ブラケット２４の各耳部５６には、それぞれ案内部６０を設置する。
端板４８は、おおよそ垂直に側板４６に連結される。
少なくとも一個の取り付け部材５０は、端板４８に取り付けられる。
【００２１】
最も好ましくは、第二ブラケット２４は、その位置が、第一取り付け特徴部５８に相対する第二取り付け特徴部６２をさらに有する。
弾性部材３４は、第一取り付け特徴部５８と第二取り付け特徴部６２との間に配置される。
鈎部３６は、第二ブラケット２４に可動するように連結される。
ここでは、例として、連結部材６４により、鈎部３６を各案内部６０に連結する。
【００２２】
さらに、図２及び図３に示す通り、鈎部３６は、第二ブラケット２４に可動するように連結される。
弾性部材３４は、第一セクション６６ａ、第一セクション６６ａに位置が対応する第二セクション６６ｂを有する。
弾性部材３４は、第一取り付け特徴部５８と第二取り付け特徴部６２との間に取り付けられる。
【００２３】
最も好ましくは、第二ブラケット２４の側板４６の耳部５６は、突出セクション６８、及び突出セクション６８に隣り合う陥没セクション７０を有する。
鈎部３６は、一対の停止部７２を有する。
一対の停止部７２は、少なくとも一個の取り付け部材５０に隣り合う。
【００２４】
図３及び図３Ａに示す通り、第二ブラケット２４は、側板４６に配置される第一接触部７４を有する。
鈎部３６は、第一接触部７４に対応する第二接触部７６を有する。
第一接触部７４と第二接触部７６のいずれか一つは、傾斜案内面７８を含む。
ここでは、例として、第二接触部７６は、傾斜案内面７８を含む。
【００２５】
図３及び図３Ｂに示す通り、第二ブラケット２４は、各耳部５６に配置された第一押圧部８０を有する。
鈎部３６は、第一押圧部８０に対応する第二押圧部８２をさらに有する。
第一押圧部８０と第二押圧部８２のいずれか一つは、傾斜案内セクション８４を含む。
ここでは、例として、第一押圧部８０は、傾斜案内セクション８４を含む。
【００２６】
図４及び図５に示す通り、第二ブラケット２４は、少なくとも一個の取り付け部材５０により、第二ラックポスト２８の孔８８に取り付けられる。
弾性部材３４は、鈎部３６に弾力を加え、鈎部３６は弾性部材３４の弾力に反応し、ロック位置を保持される。
鈎部３６は、取り付け部９０を有し、弾性部材３４の第一セクション６６ａと第二セクション６６ｂとの間に取り付ける（図４Ａ参照）。
これにより、鈎部３６は、第二ブラケット２４に対してロック位置Ｐに保持され、しかも鈎部３６の停止部７２は、第二ラックポスト２８に対応する。
案内部６０は、所定の長さＬ（所定の縦方向長さなど）を有し、これにより第二ブラケット２４の鈎部３６に対する移動量を制限する。
このほか、第一部分４４は、第二部分５４に対応する（図４Ｂ参照）。
【００２７】
さらに、図４及び図５に示す通り、スライドレールキット２０を、ラック上から取り外す時には、操作者は、第一ラックポスト２６の位置に立ち、第一ブラケット２２と第一ラックポスト２６との間のロックを解除する（ロック方式は図示なし）。
これにより、第一ブラケットとレール部材とは、第一ラックポスト２６より離脱する。
【００２８】
図６と図７に示す通り、第一ブラケット２２が、第一ラックポスト２６から離脱後には、さらに力を加え、レール部材３０を第一方向Ｄ１へと移動させる。
レール部材３０は、縦方向壁４０の第一部分４４により、延長部材５２の第二部分５４に接触し、第二ブラケット２４を連動し、鈎部３６の停止部７２が、第二ラックポスト２８へと接触するまで、第一方向Ｄ１へと移動させる。
【００２９】
図８と図９に示す通り、第二ブラケット２４はさらに、第一方向Ｄ１へと移動する。
これにより、第二ブラケット２４の第一接触部７４は、鈎部３６の第二接触部７６を押圧する（図８Ａ及び図９Ａ参照）。
こうして、鈎部３６は、第二ブラケット２４に対して一角度の偏りを呈し、ロック位置Ｐを離れる。
これにより、鈎部３６の停止部７２は、第二ラックポスト２８への接触を離れる。
この時、第二ブラケット２４の少なくとも一個の取り付け部材５０は、第二ラックポスト２８の孔８８を離脱し、スライドレールキット２０は、第二ラックポスト２８から離脱する。
上記した操作の特徴により明らかなように、操作者は第一ラックポスト２６の位置に立ち、スライドレールキット２０を第一ラックポスト２６及び第二ラックポスト２８から取り外すことができる。
よって、操作が便利で、しかもスピーディである。
【００３０】
図１０と図１１に示す通り、操作者がスライドレールキット２０を第二ラックポスト２８に取り付ける時、操作者は第一ラックポスト２６の位置に立ち（図５参照）、レール部材３０を第二方向Ｄ２へ第二ラックポスト２８へと、鈎部３６の停止部７２が第二ラックポスト２８に接触するまで移動させる。
これにより、第二ブラケット２４の少なくとも一個の取り付け部材５０は、第二ラックポスト２８の孔８８に対応する。
【００３１】
図１２に示す通り、第二ブラケット２４が、レール部材３０に従い、継続して第二方向Ｄ２へと移動すると、第二ブラケット２４の第一押圧部８０は鈎部３６の第二押圧部８２を押圧する。
これにより、鈎部３６は、第二ブラケット２４に対して一角度の偏りを呈する。
この時、鈎部３６の一部分は、耳部５６の陥没セクション７０に位置する。
【００３２】
図１２及び図１３に示す通り、レール部材３０がさらに第二方向Ｄ２へと移動すると、鈎部３６は第二ブラケット２４に対して一仰角の偏りを呈した後、鈎部３６の停止部７２は第二ラックポスト２８を乗り越える。
しかも、第二ブラケット２４の少なくとも一個の取り付け部材５０は、第二ラックポスト２８の孔８８に取り付けられ、取り付け作業を完成する。
【００３３】
鈎部３６は取り付け部９０により、弾性部材３４の弾力に反応し、第二ブラケット２４に対してロック位置に戻る。
これにより、鈎部３６の停止部７２は、第二ラックポスト２８に対応し、しかも鈎部３６の一部分は、突出セクション６８に対応して、鈎部３６の停止部７２が第二ラックポスト２８に対応するよう確実に維持し、鈎部３６が不当な外力を受け、偏る恐れを払拭し、ロック機能を達成する。
【００３４】
前述した本発明の実施形態は本発明を限定するものではなく、よって、本発明により保護される範囲は特許請求の範囲を基準とする。
【符号の説明】
【００３５】
２０  スライドレールキット、
２２  第一ブラケット、
２４  第二ブラケット、
２６  第一ラックポスト、
２８  第二ラックポスト、
３０  レール部材、
３１ａ  第一端部、
３１ｂ  第二端部、
３２  サポートフレーム、
３４  弾性部材、
３６  鈎部、
３８ａ  上壁、
３８ｂ  下壁、
４０  縦方向壁、
４２  通路、
４４  第一部分、
４６  側板、
４８  端板、
５０  取り付け部材、
５２  延長部材、
５４  第二部分、
５６  耳部、
５８  第一取り付け特徴部、
６０  案内部、
６２  第二取り付け特徴部、
６４  連結部材、
６６ａ  第一セクション、
６６ｂ  第二セクション、
６８  突出セクション、
７０  陥没セクション、
７２  停止部、
７４  第一接触部、
７６  第二接触部、
７８  傾斜案内面、
８０  第一押圧部、
８２  第二押圧部、
８４  傾斜案内セクション、
８８  孔、
９０  取り付け部、
Ｌ    所定の長さ、
Ｄ１  第一方向、
Ｄ２  第二方向、
Ｐ    ロック位置。
【図１】
0006284969.tif 000002
【図２】
0006284969.tif 000003
【図３】
0006284969.tif 000004
【図３Ａ】
0006284969.tif 000005
【図３Ｂ】
0006284969.tif 000006
【図４】
0006284969.tif 000007
【図４Ａ】
0006284969.tif 000008
【図４Ｂ】
0006284969.tif 000009
【図５】
0006284969.tif 000010
【図６】
0006284969.tif 000011
【図７】
0006284969.tif 000012
【図８】
0006284969.tif 000013
【図８Ａ】
0006284969.tif 000014
【図９】
0006284969.tif 000015
【図９Ａ】
0006284969.tif 000016
【図１０】
0006284969.tif 000017
【図１１】
0006284969.tif 000018
【図１２】
0006284969.tif 000019
【図１３】
0006284969.tif 000020